(57)【要約】      （修正有）【課題】施療部位の施療状態の相違を視覚的に確認することが出来るマッサージ装置を提供すること。【解決手段】制御手段（制御回路２２ａ）は、駆動手段（エア給排気装置１６、モータ）による前記施療手段（エアバッグ７，８，９，１１Ｌ〜１４Ｌ，１１Ｒ〜１４Ｒ、揉み玉、機械式のローラやバイブレータの振動子）の施療時の施療周期又は施療速度に応じて点滅表示部（点滅用セグメント）の点滅速度を変化させるようになっている。【選択図】図２
2005261491.tif 000002
【特許請求の範囲】
【請求項１】
人体の複数の施療部位をそれぞれ施療させる複数の施療手段と、前記各施療手段を進退駆動させる駆動手段と、前記各施療手段にそれぞれ対応する複数の点滅表示部が設けられた操作部と、前記駆動手段を駆動制御して前記施療手段を駆動させると共に前記点滅表示部を前記施療手段の動作時に点滅させる制御手段とを備えるマッサージ装置であって、
前記制御手段は、前記駆動手段による前記施療手段の施療時の施療周期又は施療速度に応じて前記点滅表示部の点滅速度を変化させることを特徴とするマッサージ装置。
【請求項２】
前記操作部は、人体形状を表示させると共に、前記人体形状のマッサージ部位に対応する位置に前記点滅表示部を表示させることを特徴とする請求項１に記載のマッサージ装置。
【請求項３】
人体当接面の中心線に対して左右対称に配置される一対の施療手段が少なくとも一組設けられていると共に、前記制御手段は前記一対の施療手段を交互に進退駆動制御する際に前記一対の施療手段に対応する一対の点滅表示部を交互に点滅制御することを特徴とする請求項１又は２に記載のマッサージ装置。
【発明の詳細な説明】
【技術分野】
【０００１】
この発明は、施療動作表示用の表示部が設けられた操作部を有するマッサージ装置に関するものである。
【背景技術】
【０００２】
従来のマッサージ装置には、施療手段による施療部位の施療動作を利用者に知らせるために、操作部に施療動作表示用の表示部を設けたものが知られている。また、この操作部としては、例えば液晶表示器等の表示部を設けたリモコンが知られている。
【０００３】
しかも、従来のマッサージ装置では、リモコンの液晶表示器に人体形状を表示させると共に、この人体形状の施療部位に対応する点滅表示部を液晶表示器に表示させて、施療手段が動作させられているときに点滅表示部を点滅させるようにすることも行われている（例えば、特許文献１参照）。
【特許文献１】特開２００２−３６９８５２号公報
【発明の開示】
【発明が解決しようとする課題】
【０００４】
しかしながら、従来は、例えば施療手段によるマッサージ速度や叩き速度等の施療状態が変化しても点滅表示部の点滅速度は一定であったため、リモコンの表示部を見ても、施療部位の施療状態の相違を視覚的に確認することが出来ないものであった。
【０００５】
そこで、この発明は、施療部位の施療状態の相違を視覚的に確認することが出来るマッサージ装置を提供することを目的とするものである。
【課題を解決するための手段】
【０００６】
この目的を達成するため、この発明は、人体の複数の施療部位をそれぞれ施療させる複数の施療手段と、前記各施療手段を進退駆動させる駆動手段と、前記各施療手段にそれぞれ対応する複数の点滅表示部が設けられた操作部と、前記駆動手段を駆動制御して前記施療手段を駆動させると共に前記点滅表示部を前記施療手段の動作時に点滅させる制御手段とを備えるマッサージ装置であって、
前記制御手段は、前記駆動手段による前記施療手段の進退駆動時の施療時の施療周期又は施療速度に応じて前記点滅表示部の点滅速度を変化させることを特徴とする。
【発明の効果】
【０００７】
この構成によれば、施療部位の施療状態の相違を視覚的に確認することが出来る。
【発明を実施するための最良の形態】
【０００８】
以下、この発明の実施の形態を図面に基づいて説明する。
[構成]
図１において、１は椅子式のエアマッサージ装置の脚部、２は脚部１に取り付けられた肘掛け、３は脚部１に取り付けられた座部、４は座部３の後縁部にリクライニング可能に取り付けられた背凭れ、５は座部３の前側に配設された足載せ台（オットマン）である。尚、足載せ台５は図示しない駆動手段により上下にスイングできるようになっている。この構成には周知の構成を採用できるので、その詳細な説明は省略する。
【０００９】
この足載せ台５の左右の部分には脚配設溝（下腿配設溝）６，６がそれぞれ形成され、脚配設溝６の側部には下腿施療用のエアバッグ（施療手段、施療部材）７，７が取り付けられている。
【００１０】
また、座部３の人体当接面（上面）３ａの前部側には大腿施療用（上腿施療用）のエアバッグ（施療手段、施療部材）８が取り付けられ、座部３の人体当接面（上面）３ａの後部側には臀部施療用のエアバッグ（施療手段、施療部材）９が取り付けられている。
【００１１】
更に、背凭れ４の人体当接面（前面）４ａの左右方向中央の部分には上下に延びる背筋施療用のエアバッグ（施療手段、施療部材）１０が取り付けられている。
【００１２】
また、背凭れ４の人体当接面４ａには、エアバッグ１０の左右の部分に配設された腰部施療用のエアバッグ（施療手段、施療部材）１１Ｌ，１１Ｒ，エアバッグ１０の左右の部分に配設された下背中施療用のエアバッグ（施療手段、施療部材）１２Ｌ，１２Ｒ、及びエアバッグ１０の左右の部分に配設された上背中施療用のエアバッグ（施療手段、施療部材）１３Ｌ，１３Ｒが取り付けられている。
【００１３】
更に、背凭れ４の人体当接面４ａの上部の左右の部分には、エアバッグ１４Ｌ，１４Ｒにより利用者の首又は肩に向けて進退駆動される首肩施療用の揉み玉（施療手段、施療部材）１５Ｌ，１５Ｒが配設されている。この構造としては例えば特開２００２−２０９９６２号公報に開示されたような周知の構造を採用できるので、その詳細な説明は省略する。
【００１４】
また、エアバッグ７，７，８，９，１０，１１Ｌ〜１４Ｌ，１１Ｒ〜１４Ｒは、図２に示したエア給排気装置（エア給排気手段）１６により、膨張・収縮させられるようになっている。
【００１５】
このエア給排気装置１６は、第１，第２のエアポンプ１７，１８と、第１のエアポンプ１７とエアバッグ７，７，８，９との間に介装された第１のエア給排気切替手段１９と、第２のエアポンプ１８とエアバッグ１０，１１Ｌ〜１４Ｌ，１１Ｒ〜１４Ｒとの間に介装された第２のエア給排気切替手段２０を有する。
【００１６】
この第１，第２のエアポンプ１７，１８のエア吐出側には分岐するエアホース１７ｈ、１８ｈが接続され、エアバッグ７，７，８，９にはエアホース７ｈ，７ｈ，８ｈ，９ｈが接続され、エアバッグ１０，１１Ｌ〜１４Ｌ，１１Ｒ〜１４Ｒにはエアホース１０ｈ，１１Ｌｈ〜１４Ｌｈ，１１Ｒｈ〜１４Ｒｈが接続されている。
【００１７】
しかも、第１のエア給排気切替手段１９は、第１のエアホース１７ｈとエアホース７ｈ，７ｈ，８ｈ，９ｈとの間にそれぞれ介装された電磁弁７ｖ，７ｖ，８ｖ，９ｖを有する。
【００１８】
この電磁弁７ｖ，７ｖ，８ｖ，９ｖは、第１のエアポンプ１７とエアバッグ７，７，８，９とを連通させるエア給気位置（第１の位置）と、この第１のエアポンプ１７とエアバッグ７，７，８，９との連通を遮断させてエアバッグ７，７，８，９の膨張状態を保持させる膨張状態保持位置（第２の位置）と、エアバッグ７，７，８，９を大気に連通させるエア排気位置（第３の位置）を有する。
【００１９】
また、第２のエア給排気切替手段２０は、第２のエアホース１８ｈとエアホース１０ｈ，１１Ｌｈ〜１４Ｌｈ，１１Ｒｈ〜１４Ｒｈとの間に介装された電磁弁１０ｖ，１１Ｌｖ〜１４Ｌｖ，１１Ｒｖ〜１４Ｒｖを有する。
【００２０】
この電磁弁１０ｖ，１１Ｌｖ〜１４Ｌｖ，１１Ｒｖ〜１４Ｒｖは、第２のエアポンプ１８とエアバッグ１０，１１Ｌ〜１４Ｌ，１１Ｒ〜１４Ｒとを連通させるエア給気位置（第１の位置）と、この第２のエアポンプ１８とエアバッグ１０，１１Ｌ〜１４Ｌ，１１Ｒ〜１４Ｒとの連通を遮断させてエアバッグ１０，１１Ｌ〜１４Ｌ，１１Ｒ〜１４Ｒの膨張状態を保持させる膨張状態保持位置（第２の位置）と、エアバッグ１０，１１Ｌ〜１４Ｌ，１１Ｒ〜１４Ｒを大気に連通させるエア排気位置（第３の位置）を有する。
【００２１】
各電磁弁７ｖ，７ｖ，８ｖ，９ｖ，１０ｖ，１１Ｌｖ〜１４Ｌｖ，１１Ｒｖ〜１４Ｒｖは、制御回路（制御手段）２１により作動制御されるようになっている。そして、この制御回路２１には、操作部としてのリモコン２２が接続されている。
【００２２】
このリモコン２２は内部に制御回路２２ａを有し、この制御回路２２ａから制御回路２１への制御信号を出力する。また、このリモコン２２の上部には、図３に示したように液晶表示器２３が表示部として設けられている。また、リモコン２２には、液晶表示器２３の下側に位置させて操作パネル部２４が設けられている。
【００２３】
この操作パネル部２４は、液晶表示器２３に隣接させた電源の入り／切り用（電源オン・オフ用）の電源スイッチ２５，停止スイッチ２６を有する。そして、使用者が電源スイッチ２５をＯＮさせると、操作パネル部２４の操作によるマッサージ動作の選択を行うことができるようになる。
【００２４】
また、操作パネル部２４は、図３（ａ）に示したように下部側に位置させたカバー２７を有する。そして、このカバー２７には、自動コース選択用のスイッチ部２８が設けられている。このスイッチ部２８を操作すると、予めプログラムされた「ストレッチ」、「全身」、「首肩」、「背腰」等のマッサージ内容（施療内容）が順次実行される。
【００２５】
しかも、カバー２７には、脚マッサージ選択用のスイッチ部２８ａが設けられている。そして、制御回路２１は、脚マッサージ選択用のスイッチ部２８ａにより脚のマッサージを選択実行している場合でも、これと並行して「脚」以外の他のマッサージ部位のマッサージ動作を選択して実行させることができるようになっている。
【００２６】
また、操作パネル部２４は、カバー２７の下側に配設した図３（ｂ）のお好み動作選択用スイッチ部２９を有する。
【００２７】
このお好み動作選択用スイッチ部２９には「首肩」、「背腰」、「下半身」、「接合」、「手技」、「特殊」、「ポイント」、「パルス」、「順序」、「手カフ」、「全身さすり」、「バイブ」等その他のスイッチが設けられ、使用者がお好み動作選択用スイッチ部２９の操作をすることにより、マッサージ部位（施療部位）の選択や動作速度を任意に選択できるようになっている。
【００２８】
制御回路２２ａは、使用者がリモコン２２の電源スイッチ２５をＯＮさせると、液晶表示器２３に図３に示したような人体形状３０を表示させて、操作パネル部２４の操作によるマッサージ動作の選択を行うことができるようになっている。
【００２９】
しかも、液晶表示器２３には、図３（ｃ）に示したように人体形状３０のマッサージ部位（施療部位）に対応する部分に点滅用セグメント７ｓ，８ｓ，９ｓ，１０ｓ，１１Ｌｓ〜１４Ｌｓ，１１Ｒｓ〜１４Ｒｓが点滅表示部として設けられている。そして、制御回路２２ａは、点滅用セグメント７ｓ，８ｓ，９ｓ，１０ｓ，１１Ｌｓ〜１４Ｌｓ，１１Ｒｓ〜１４Ｒｓのうち、操作パネル部２４の操作により選択されたマッサージ部位（施療部位）に対応するものを点灯させ、実際にマッサージ（施療）されている部位に対応するものを点滅させるようになっている。
[作用]
次に、このような構成のマッサージ装置の作用を説明する。
（１）液晶表示器２３の初期表示
制御回路２２ａは、使用者がリモコン２２の電源スイッチ２５をＯＮさせると、液晶表示器２３に図３に示したような人体形状３０を表示させる。
【００３０】
そして、制御回路２２ａは、使用者が操作パネル部２４を操作してマッサージ部位（施療部位）の選択を行うと、点滅用セグメント７ｓ，８ｓ，９ｓ，１０ｓ，１１Ｌｓ〜１４Ｌｓ，１１Ｒｓ〜１４Ｒｓのうち、操作パネル部２４の操作により選択されたマッサージ部位（施療部位）に対応するものを点灯させる。
【００３１】
例えば、全身ならば全ての点滅用セグメント７ｓ，８ｓ，９ｓ，１０ｓ，１１Ｌｓ〜１４Ｌｓ，１１Ｒｓ〜１４Ｒｓを点灯させ、選択されたマッサージ部位が脚ならば点滅用セグメント７ｓのみを点灯させ、マッサージ部位が太股ならば点滅用セグメント８ｓを点灯させ、マッサージ部位が臀部であれば点滅用セグメント９ｓを点灯させる。また、マッサージ部位が背筋であれば点滅用セグメント１０ｓを点灯させ、マッサージ部位が腰であれば点滅用セグメント１１Ｌｓ，１１Ｒｓを点灯させ、マッサージ部位が背中であれば点滅用セグメント１２Ｌｓ，１３Ｌｓ，１２Ｒｓ，１３Ｒｓを点灯させ、マッサージ部位が首肩であれば点滅用セグメント１４Ｌｓ，１４Ｒｓを点灯させる。
（２）エアバッグの膨張・収縮の基本動作
また、制御回路２１は、自動コース選択用のスイッチ部２８の「ストレッチ」選択キー、「全身」選択キー、「首肩」選択キー、「背腰」選択キー、脚マッサージ選択用のスイッチ部２８ａ、お好み動作選択用スイッチ部２９の「首肩」選択キー、「背腰」選択キー、「下半身」選択キー等の操作がされると、選択内容に応じてエアポンプ１７，１８を作動制御すると共に、選択内容に応じて電磁弁７ｖ，７ｖ，８ｖ，９ｖ，１０ｖ，１１Ｌｖ〜１４Ｌｖ，１１Ｒｖ〜１４Ｒｖを作動制御して、電磁弁７ｖ，７ｖ，８ｖ，９ｖ，１０ｖ，１１Ｌｖ〜１４Ｌｖ，１１Ｒｖ〜１４Ｒｖをエア給気位置（第１の位置），膨張状態保持位置（第２の位置），エア排気位置（第３の位置）のいずれかの位置に切り替え制御する。
【００３２】
そして、電磁弁７ｖがエア給気位置（第１の位置）に位置させられると、第１のエアポンプ１７のエア吐出側がエアホース１７ｈ，電磁弁７ｖ，エアホース７ｈを介してエアバッグ７に連通させられると共に、第１のエアポンプ１７が作動させられて、第１のエアポンプ１７から吐出されるエアがエアホース１７ｈ，電磁弁７ｖ，エアホース７ｈを介してエアバッグ７に供給され、エアバッグ７が膨張する。また、電磁弁７ｖが膨張状態保持位置（第２の位置）に位置させられると、第１のエアポンプ１７とエアバッグ７の連通が遮断させられ、エアバッグ７の膨張状態が保持させられる。更に、電磁弁７ｖがエア排気位置（第３の位置）に位置させられると、第１のエアポンプ１７とエアバッグ７の連通が遮断させられると共に、エアバッグ７がエアホース７ｈ及び電磁弁７ｖを介して大気に連通させられ、エアバッグ７のエアがエアホース７ｈ及び電磁弁７ｖを介して大気に排気させる。
【００３３】
このようにしてエアバッグ７は膨張，膨張状態維持，収縮等の動作をさせられる。従って、使用者が下腿即ち脹ら脛を脚載せ台５の脚配設溝６，６に配設して、エアバッグ７の膨張，膨張状態維持，収縮等の動作をさせることにより、使用者の下腿即ち脹ら脛がエアバッグ７によりマッサージされる。
【００３４】
また、制御回路２１は、電磁弁７ｖと同様に電磁弁８ｖ，９ｖを作動制御して、エアバッグ８，９の膨張，膨張状態維持，収縮等の動作をさせる。そして、エアバッグ８の膨張，膨張状態維持，収縮等の動作をさせることにより、使用者の大腿がエアバッグ８によりマッサージされる。更に、エアバッグ９の膨張，膨張状態維持，収縮等の動作をさせることにより、使用者の臀部がエアバッグ９によりマッサージされる。
【００３５】
また、電磁弁１０ｖをエア給気位置（第１の位置）に位置させると、第２のエアポンプ１８のエア吐出側がエアホース１８ｈ，電磁弁１０ｖ，エアホース１０ｈを介してエアバッグ１０に連通させられると共に、第２のエアポンプ１８が作動させられると共に、第２のエアポンプ１８から吐出されるエアがエアホース１８ｈ，電磁弁１０ｖ，エアホース１０ｈを介してエアバッグ１０に供給され、エアバッグ１０が膨張する。また、電磁弁１０ｖを膨張状態保持位置（第２の位置）に位置させると、第２のエアポンプ１８とエアバッグ１０の連通が遮断させられて、エアバッグ１０の膨張状態が保持させられる。更に、電磁弁１０ｖをエア排気位置（第３の位置）に位置させると、第２のエアポンプ１８とエアバッグ１０の連通が遮断させられると共に、エアバッグ１０をエアホース１０ｈ及び電磁弁１０ｖを介して大気に連通させられて、エアバッグ１０のエアがエアホース１０ｈ及び電磁弁１０ｖを介して大気に排気される。
【００３６】
このようにしてエアバッグ１０は、膨張，膨張状態維持，収縮等の動作をさせられて、使用者の背筋をマッサージする。
【００３７】
また、制御回路２１は、電磁弁１０ｖと同様に電磁弁１１Ｌｖ〜１４Ｌｖ，１１Ｒｖ〜１４Ｒｖを作動制御して、エアバッグ１１Ｌ〜１４Ｌ，１１Ｒ〜１４Ｒの膨張，膨張状態維持，収縮等の動作をさせる。
【００３８】
そして、エアバッグ１１Ｌ，１１Ｒの膨張，膨張状態維持，収縮等の動作により使用者の腰がエアバッグ１１Ｌ，１１Ｒによりマッサージされ、エアバッグ１２Ｌ，１２Ｒの膨張，膨張状態維持，収縮等の動作により使用者の下背中がエアバッグ１２Ｌ，１２Ｒによりマッサージされる。また、エアバッグ１３Ｌ，１３Ｒの膨張，膨張状態維持，収縮等の動作により使用者の上背中がエアバッグ１３Ｌ，１３Ｒによりマッサージされ、エアバッグ１４Ｌ，１４Ｒの膨張，膨張状態維持，収縮等の動作により使用者の首肩がエアバッグ１４Ｌ，１４Ｒによりマッサージされる。
（３）エアバッグの膨張・収縮に伴う点滅表示例
ところで、使用者がマッサージ部位毎にマッサージ動作をさせたい場合、お好み動作選択用スイッチ部２９を用いて、マッサージ部位の選択をする。例えば、首肩のマッサージ内容を選択したい場合、お好み動作選択用スイッチ部２９の「首肩」選択キーを押した後、マッサージ動作選択キーである「手技」選択キー、「特殊」選択キー、「ポイント」選択キー、「パルス」選択キー等の操作をすることにより、「押し」、「もみ」、「たたき」等のマッサージ動作を選択できる。
【００３９】
そして、この選択が終了すると、選択した内容のマッサージ動作が制御回路２１により開始される。即ち、制御回路２１は、第２のエアポンプ１８を作動制御すると共に、電磁弁１４Ｌｖ，１４Ｒｖをエア給気位置（第１の位置），膨張状態保持位置（第２の位置），エア排気位置（第３の位置）の位置に順に切り替え制御する。これにより、エアバッグ１４Ｌ，１４Ｒが膨張，膨張状態維持，収縮等の動作させられて、エアバッグ１４Ｌ，１４Ｒが揉み玉１５Ｌ，１５Ｒを首肩等に対して進退動作させ、揉み玉１５Ｌ，１５Ｒにより首肩の「押し」、「もみ」、「たたき」等のマッサージ動作がさせられる。
【００４０】
また、下半身のマッサージ内容を選択したい場合、お好み動作選択用スイッチ部２９の「下半身」選択キーを押した後、マッサージ動作選択キーである「手技」選択キー、「特殊」選択キー、「ポイント」選択キー、「パルス」選択キー等の操作をすることにより、「押し」、「もみ」等のマッサージ動作を選択できる。
【００４１】
尚、「首肩」選択キーや「下半身」選択キーが押された後に、マッサージ動作選択キーの操作が所定時間（数秒）行われなかった場合、予めプログラムされたディフォルトのマッサージ動作を開始しても良い。
【００４２】
ここで、図４（ａ）〜（ｄ）において、「首肩左ＳＥＧ」は左の首肩用の点滅用セグメント１４Ｌｓに対応、「首肩右ＳＥＧ」は右の首肩用の点滅用セグメント１４Ｒｓに対応、「脚下ＳＥＧ」は下腿用（脹ら脛用）の点滅用セグメント７ｓに対応、「脚上ＳＥＧ」は上腿用（大腿用）の点滅用セグメント８ｓに対応する。
（Ａ）首肩のたたき
首肩のマッサージ動作の選択において「たたき」が選択されている場合、制御回路２１は上述したエアバッグの膨張・収縮の基本動作に基づいて左右のエアバッグ１４Ｌ，１４Ｒを速いテンポで交互に膨張・収縮させるようになっている。
そして、制御回路２２ａは、エアバッグ１４Ｌ，１４Ｒを速いテンポで交互に膨張・収縮させている時には液晶表示器２３の点滅用セグメント１４Ｌｓ，１４Ｒｓを図４（ａ），図４（ｂ）に示したように速いテンポで交互に点滅させる。
【００４３】
即ち、図４（ａ），（ｂ）において、右の首肩用の点滅用セグメント（首肩右ＳＥＧ）１４Ｒｓは、時間ｔ１，ｔ４，ｔ７，ｔ９，ｔ１２で点灯させられ、時間ｔ２，ｔ５，ｔ８，ｔ１１，ｔ１４で消灯させられて、速いテンポで交互に点滅させられる。一方、左の首肩用の点滅用セグメント（首肩左ＳＥＧ）１４Ｌｓは、時間ｔ１，ｔ４，ｔ７，ｔ９，ｔ１２，ｔ１５で消灯させられ、時間ｔ２，ｔ５，ｔ８，ｔ１１，ｔ１４で点灯させられて、速いテンポで交互に点滅させられる。
（Ｂ）首肩の押し
首肩のマッサージ動作の選択において「押し」が選択されている場合、制御回路２１は上述したエアバッグの膨張・収縮の基本動作に基づいて左右のエアバッグ１４Ｌ，１４Ｒを遅いテンポで同時に膨張・収縮させるようになっている。そして、制御回路２２ａは、エアバッグ１４Ｌ，１４Ｒを遅いテンポで同時に膨張・収縮させている時には液晶表示器２３の点滅用セグメント１４Ｌｓ，１４Ｒｓを図４（ｃ），図４（ｄ）に示したように遅いテンポで同時に点滅させる。
【００４４】
即ち、図４（ｃ），（ｄ）において、右の首肩用の点滅用セグメント（首肩右ＳＥＧ）１４Ｒｓ及び左の首肩用の点滅用セグメント（首肩左ＳＥＧ）１４Ｌｓは、時間ｔ１，ｔ６，ｔ１０で同時に点灯させられ、時間ｔ３，ｔ８，ｔ１３で同時に消灯させられることにより、遅いテンポで同時に点滅させられる。
（Ｃ）脚もみ
脚のマッサージ動作の選択において「もみ」が選択されている場合、制御回路２１は上述したエアバッグの膨張・収縮の基本動作に基づいてエアバッグ７，８を速いテンポで交互に膨張・収縮させるようになっている。そして、制御回路２２ａは、エアバッグ７，８を速いテンポで交互に膨張・収縮させている時には液晶表示器２３の点滅用セグメント７ｓ，８ｓを図４（ｂ），図４（ｄ）に示したように速いテンポで交互に点滅させる。
【００４５】
即ち、図４（ｂ），（ｄ）において、下腿用の点滅用セグメント（脚下ＳＥＧ）７ｓは、時間ｔ１，ｔ４，ｔ７，ｔ９，ｔ１２で点灯させられ、時間ｔ２，ｔ５，ｔ８，ｔ１１，ｔ１４で消灯させられて、早いテンポで点滅させられる。一方、下腿用の点滅用セグメント（脚上ＳＥＧ）８ｓは、時間ｔ１，ｔ４，ｔ７，ｔ９，ｔ１２，ｔ１５で消灯させられ、時間ｔ２，ｔ５，ｔ８，ｔ１１，ｔ１４で点灯させられて、速いテンポで点滅させられる。
（Ｄ）脚押し
脚のマッサージ動作の選択において「押し」が選択されている場合、制御回路２１は上述したエアバッグの膨張・収縮の基本動作に基づいてエアバッグ７，８を遅いテンポで同時に膨張・収縮させるようになっている。そして、制御回路２２ａは、エアバッグ７，８を遅いテンポで同時に膨張・収縮させている時には液晶表示器２３の点滅用セグメント７ｓ，８ｓを図４（ａ），図４（ｃ）に示したように遅いテンポで同時に点滅させる。
【００４６】
即ち、下腿用（脹ら脛用）の点滅用セグメント（脚下ＳＥＧ）７ｓ，上腿用（大腿用）の点滅用セグメント（脚上ＳＥＧ）８ｓは、時間ｔ１，ｔ６，ｔ１０で点灯させられ、時間ｔ３，ｔ８，ｔ１３で消灯させられて、遅いテンポで同時に点滅する。
（Ｅ）点滅用セグメント７ｓ，８ｓ，１４Ｌｓ，１４Ｒｓの点滅速度
上述したような点滅用セグメント７ｓ，８ｓの点滅速度（点滅時間）はエアバッグ７，８の膨張・収縮速度に対応（略一致）させられ、点滅用セグメント１４Ｌｓ，１４Ｒｓの点滅速度（点滅時間）はエアバッグ１４Ｌ，１４Ｒの膨張・収縮による揉み玉１５Ｌ，１５Ｒの進退速度（進退時間）に対応（略一致）させられている。
（４）エアバッグ７，８，１４Ｌ，１４Ｒの膨張・収縮の組み合わせ例
ａ．首肩たたき＋脚押し
ここで、首肩のマッサージ動作の選択において「たたき」が選択されている場合、脚マッサージが「脚押し」動作であるような選択を行うことができる。この場合、上述した（Ａ）の「首肩たたき」のエアバッグ１４Ｌ，１４Ｒの膨張・収縮と（Ｄ）の「脚押し」のエアバッグ７，８の膨張・収縮とが組み合わせられる。この際、点滅用セグメント７ｓ，８ｓ，１４Ｌｓ，１４Ｒｓの点滅制御が、図４（ａ）におけるように実行される。即ち、上述した（Ａ）の「首肩たたき」における点滅用セグメント１４Ｌｓ，１４Ｒｓの点滅制御と、（Ｄ）の「脚押し」における点滅用セグメント７ｓ，８ｓの点滅制御が実行される。
ｂ．首肩たたき＋脚もみ
また、首肩のマッサージ動作の選択において「たたき」が選択されている場合、脚マッサージが「脚もみ」動作であるような選択を行うことができる。この場合、上述した（Ａ）の「首肩たたき」のエアバッグ１４Ｌ，１４Ｒの膨張・収縮と（Ｃ）の「脚もみ」のエアバッグ７，８の膨張・収縮とが組み合わせられる。この際、点滅用セグメント７ｓ，８ｓ，１４Ｌｓ，１４Ｒｓの点滅制御が、図４（ｂ）におけるように実行される。即ち、上述した（Ａ）の「首肩たたき」における点滅用セグメント１４Ｌｓ，１４Ｒｓの点滅制御と、（Ｃ）の「脚もみ」における点滅用セグメント７ｓ，８ｓの点滅制御が実行される。
ｃ．首肩押し＋脚押し
また、首肩のマッサージ動作の選択において「首押し」が選択されている場合、脚マッサージが「脚押し」動作であるような選択を行うことができる。この場合、上述した（Ｂ）の「首肩押し」のエアバッグ１４Ｌ，１４Ｒの膨張・収縮と（Ｄ）の「脚押し」のエアバッグ７，８の膨張・収縮とが組み合わせられる。この際、点滅用セグメント７ｓ，８ｓ，１４Ｌｓ，１４Ｒｓの点滅制御が、図４（ｃ）におけるように実行される。即ち、上述した（Ｂ）の「首肩押し」における点滅用セグメント１４Ｌｓ，１４Ｒｓの点滅制御と、（Ｄ）の「脚押し」における点滅用セグメント７ｓ，８ｓの点滅制御が実行される。
ｄ．首肩押し＋脚もみ
また、首肩のマッサージ動作の選択において「首肩押し」が選択されている場合、脚マッサージが「脚もみ」動作であるような選択を行うことができる。この場合、上述した（Ｂ）の「首肩押し」のエアバッグ１４Ｌ，１４Ｒの膨張・収縮と（Ｃ）の「脚もみ」のエアバッグ７，８の膨張・収縮とが組み合わせられる。この際、点滅用セグメント７ｓ，８ｓ，１４Ｌｓ，１４Ｒｓの点滅制御が、図４（ｄ）におけるように実行される。即ち、上述した（Ｂ）の「首肩押し」における点滅用セグメント１４Ｌｓ，１４Ｒｓの点滅制御と、（Ｃ）の「脚もみ」における点滅用セグメント７ｓ，８ｓの点滅制御が実行される。
ｅ．その他
尚、上述した点滅用セグメント７ｓ，８ｓ，９ｓ，１０ｓ，１１Ｌｓ〜１４Ｌｓ，１１Ｒｓ〜１４Ｒｓの点滅速度（点滅周期）は、エアバッグ７，８，９，１０，１１Ｌ〜１４Ｌ，１１Ｒ〜１４Ｒの膨張・収縮によるマッサージ動作（膨張・収縮速度や膨張・収縮タイミング、膨張・収縮周期）の数だけ準備されている。しかも、各マッサージ部位（施療部位）のマッサージ動作の組み合わせに応じて点滅用セグメント７ｓ，８ｓ，９ｓ，１０ｓ，１１Ｌｓ〜１４Ｌｓ，１１Ｒｓ〜１４Ｒｓが組み合わせて点滅させられる。
【００４７】
また、上述した実施例では、この発明に係る点滅表示の構成及び点滅方法を椅子式のマッサージ装置に適用した例を示したが、この発明に係る点滅表示の構成及び点滅方法はマット式のマッサージ装置に適用することもできる。
【００４８】
以上説明したように、この発明の実施の形態のマッサージ装置は、人体の複数の施療部位をそれぞれ施療させる複数の施療手段（エアバッグ７，８，９，１０，１１Ｌ〜１４Ｌ，１１Ｒ〜１４Ｒ、揉み玉１５Ｌ,１５Ｒ）と、前記各施療手段（エアバッグ７，８，９，１０，１１Ｌ〜１４Ｌ，１１Ｒ〜１４Ｒ、揉み玉１５Ｌ,１５Ｒ）を駆動させる駆動手段（エア給排気装置１６）と、前記各施療手段（エアバッグ７，８，９，１０，１１Ｌ〜１４Ｌ，１１Ｒ〜１４Ｒ、揉み玉１５Ｌ,１５Ｒ）にそれぞれ対応する複数の点滅表示部（点滅用セグメント７ｓ，８ｓ，９ｓ，１０ｓ，１１Ｌｓ〜１４Ｌｓ，１１Ｒｓ〜１４Ｒｓ）が設けられた操作部（リモコン２２）と、前記駆動手段（エア給排気装置１６）を駆動制御して前記施療手段（エアバッグ７，８，９，１０，１１Ｌ〜１４Ｌ，１１Ｒ〜１４Ｒ、揉み玉１５Ｌ,１５Ｒ）を進退駆動させると共に前記点滅表示部を前記施療手段（エアバッグ７，８，９，１０，１１Ｌ〜１４Ｌ，１１Ｒ〜１４Ｒ、揉み玉１５Ｌ,１５Ｒ）の動作時に点滅させる制御手段とを備える。しかも、前記制御手段は、前記駆動手段（エア給排気装置１６）による前記施療手段（エアバッグ７，８，９，１０，１１Ｌ〜１４Ｌ，１１Ｒ〜１４Ｒ、揉み玉１５Ｌ,１５Ｒ）の施療時の施療周期又は施療速度に応じて前記点滅表示部（点滅用セグメント７ｓ，８ｓ，９ｓ，１０ｓ，１１Ｌｓ〜１４Ｌｓ，１１Ｒｓ〜１４Ｒｓ）の点滅速度を変化させるようになっている。
【００４９】
この構成によれば、施療手段による施療時の施療周期（図４参照）又は施療速度（エアバッグ７，８，９，１０，１１Ｌ〜１４Ｌ，１１Ｒ〜１４Ｒの膨張・収縮速度又は揉み玉１５Ｌ,１５Ｒの進退速度）に応じて点滅表示部の点滅速度が変化するので、施療部位の施療状態の相違を視覚的に確認することが出来る。
【００５０】
尚、施療手段は、エアの給排気により作動するもの以外に、機械的に作動するものでも良い。例えば、施療手段としての左右一対のローラ等を利用者の背中や首等に対して当てた状態でモータにより回転駆動される円筒カム等の駆動手段により左右方向に進退駆動させる構成のマッサージ装置において、上述した点滅表示の構成を利用することもできる。この際、ローラの左右方向への進退速度に応じて、ローラによりマッサージ（施療）されている施療部位に対応する点滅用セグメントの点滅速度を変化させると良い。
【００５１】
更に、この構成に加えて、円筒カム及びローラを駆動モータ及び送りネジ機構等の駆動手段で上下動させる構成のマッサージ装置において、上述した点滅表示の構成を利用することもできる。この際も、ローラの左右方向への進退速度に応じて、ローラによりマッサージ（施療）されている施療部位に対応する点滅用セグメントの点滅速度を変化させると共に、図３（ｃ）の点滅用セグメント１０ｓを点滅表示させるとよい。
【００５２】
また、さすり用施療子が背中上部付近を回動してさするものであれば、施療子の移動距離（移動半径）のだいたいの範囲の全てを１つの施療部位として点滅表示させ、例えば図３（ｃ）の点滅用セグメント１３Ｌｓ，１３Ｒｓの部分を点滅表示させる。
【００５３】
また、メカ式マッサージ装置のようにローラが背中を上下動するものであれば、上記さすり用施療子同様、ローラの移動範囲を１つの施療部位として、例えば図３（ｃ）の点滅用セグメント１０ｓを点滅表示させる。
【００５４】
更に、バイブレータとしてモータや圧電素子或いはソレノイド等の駆動手段により振動させられる振動子（施療手段）を設けて、このバイブレータを背凭れの各施療部位に対してそれぞれ配置するか、或いはこのバイブレータを背凭れに上下動可能に設けて、各施療部位に対して振動を作用させることもできる。この場合においても、バイブレータによる振動が作用している部分の点滅用セグメントを点滅表示させる。
【００５５】
しかも、振動子の往復進退動作の周期は進退動作の最も短い「たたき」の動作よりも更に短い周期で点滅表示させる。但し、周期が０．２ｓ（点灯０．１ｓ−消灯０．１ｓの計０．２ｓの繰り返し）未満になると、視覚的に利用者に対して不快感を与える虞があるので、０．２ｓ以上の周期で且つ「たたき」動作の周期未満の範囲内で点滅用セグメントを点滅表示させる。
【００５６】
また、この発明の実施の形態のマッサージ装置は、人体の複数の施療部位を押圧又は叩きによりそれぞれ施療させる複数の施療手段（エアバッグ７，８，９，１０，１１Ｌ〜１４Ｌ，１１Ｒ〜１４Ｒ、揉み玉１５Ｌ,１５Ｒ）と、前記各施療手段（エアバッグ７，８，９，１０，１１Ｌ〜１４Ｌ，１１Ｒ〜１４Ｒ、揉み玉１５Ｌ,１５Ｒ）を前記各施療部位に対して進退駆動させる駆動手段（エア給排気装置１６）と、前記複数の施療手段（エアバッグ７，８，９，１０，１１Ｌ〜１４Ｌ，１１Ｒ〜１４Ｒ、揉み玉１５Ｌ,１５Ｒ）にそれぞれ対応する複数の点滅表示部（点滅用セグメント７ｓ，８ｓ，９ｓ，１０ｓ，１１Ｌｓ〜１４Ｌｓ，１１Ｒｓ〜１４Ｒｓ）が設けられた操作部（リモコン２２）と、前記駆動手段（エア給排気装置１６）を作動制御して前記施療手段（エアバッグ７，８，９，１０，１１Ｌ〜１４Ｌ，１１Ｒ〜１４Ｒ、揉み玉１５Ｌ,１５Ｒ）を前記施療部位に対し進退駆動させると共に前記点滅表示部（点滅用セグメント７ｓ，８ｓ，９ｓ，１０ｓ，１１Ｌｓ〜１４Ｌｓ，１１Ｒｓ〜１４Ｒｓ）を前記施療手段（エアバッグ７，８，９，１０，１１Ｌ〜１４Ｌ，１１Ｒ〜１４Ｒ、揉み玉１５Ｌ,１５Ｒ）の動作時に点滅させる制御手段（制御回路２２ａ）とを備えている。しかも、前記制御手段（制御回路２２ａ）は、前記駆動手段（エア給排気装置１６）による前記施療手段（エアバッグ７，８，９，１０，１１Ｌ〜１４Ｌ，１１Ｒ〜１４Ｒ、揉み玉１５Ｌ,１５Ｒ）の進退速度に応じて前記点滅表示部（点滅用セグメント７ｓ，８ｓ，９ｓ，１０ｓ，１１Ｌｓ〜１４Ｌｓ，１１Ｒｓ〜１４Ｒｓ）の点滅速度を変化させるようになっている。
【００５７】
この構成によれば、施療部位の施療状態の相違を視覚的に確認することが出来る。
【００５８】
また、この発明の実施の形態のマッサージ装置の前記操作部（リモコン２２）は、人体形状３０を表示させると共に、前記人体形状３０の施療部位に対応する位置に前記点滅表示部（点滅用セグメント７ｓ，８ｓ，９ｓ，１０ｓ，１１Ｌｓ〜１４Ｌｓ，１１Ｒｓ〜１４Ｒｓ）を表示させるようになっている。
【００５９】
この構成によれば、施療部位の施療状態の相違をより視覚的に確認することが出来る。
【００６０】
更に、この発明の実施の形態のマッサージ装置には、人体当接面の中心線に対して左右対称に配置される一対の施療手段（エアバッグ１１Ｌ〜１４Ｌ，１１Ｒ〜１４Ｒ、揉み玉１５Ｌ,１５Ｒ）が少なくとも一組設けられている。しかも、前記制御手段（制御回路２２ａ）は前記一対の施療手段（エアバッグ１１Ｌ〜１４Ｌ，１１Ｒ〜１４Ｒ、揉み玉１５Ｌ,１５Ｒ）を交互に進退駆動制御する際に前記一対の施療手段（エアバッグ１１Ｌ〜１４Ｌ，１１Ｒ〜１４Ｒ、揉み玉１５Ｌ,１５Ｒ）に対応する一対の点滅表示部を交互に点滅制御する
この構成によれば、例えば左右の肩を交互にたたく動作の場合でも、たたかれている方の肩に対応して点滅用セグメント１４Ｌｓ，１４Ｒｓが交互に点滅させられるので、肩たたきの状態を視覚的に確認することが出来る。
【図面の簡単な説明】
【００６１】
【図１】この発明の一例を示す椅子式のマッサージ装置の斜視図である。
【図２】図１のマッサージ装置の制御回路図である。
【図３】（ａ）は図１，図２のリモコン（操作器）の正面図、（ｂ）は（ａ）の操作パネル部のカバーを取り外した状態の正面図、（ｃ）は（ａ），（ｂ）の液晶表示器の表示部の説明図である。
【図４】（ａ）〜（ｄ）は、図３（ｃ）の点滅表示セグメントの点滅タイミングの例を示すタイミングチャートである。
【符号の説明】
【００６２】
７…エアバッグ（施療手段）
７ｓ…点滅用セグメント（点滅表示部）
８…エアバッグ（施療手段）
８ｓ…点滅用セグメント（点滅表示部）
９…エアバッグ（施療手段）
９ｓ…点滅用セグメント（点滅表示部）
１０……エアバッグ（施療手段）
１０ｓ…点滅用セグメント（点滅表示部）
１１Ｌ〜１４Ｌ…エアバッグ（施療手段）
１１Ｌｓ〜１４Ｌｓ…点滅用セグメント（点滅表示部）
１１Ｒ〜１４Ｒ…エアバッグ（施療手段）
１１Ｒｓ〜１４Ｒｓ…点滅用セグメント（点滅表示部）
１５Ｌ，１５Ｒ…揉み玉（施療手段）
１６…エア給排気装置（駆動手段）
２２…リモコン（操作部）
２２ａ…制御回路（制御手段）
３０…人体形状
【図１】
2005261491.tif 000003
【図２】
2005261491.tif 000004
【図３】
2005261491.tif 000005
【図４】
2005261491.tif 000006